(57)【要約】【課題】作業性が良く、かつ作業工程数を低減できるようにする。【解決手段】結束バンド７０は、ロック部７１及びバンド部７２を含む。ロック部７１は、バンド挿通孔７１１及びバンドロック部７１２を有する。バンド部７２には、バンド挿通孔７１１内でバンドロック部７１２に係合する係合部７２２が、長手方向に連続して複数形成されている。箱体２０は、第１バンド取付部４０を有する。蓋体３０は、残余部７２３を第１バンド取付部４０との間に挿入自在に構成される第２バンド取付部５０を有する。第２バンド取付部５０の第１バンド取付部４０との対向面に、係合部７２２に係合するバンド係止部５２が設けられる。【選択図】図４
2012147537.tif 000002
【特許請求の範囲】
【請求項１】
長尺状のバンド部であって長手方向に連続して複数の係合部を有するバンド部と、前記バンド部の第１端部に備えられたロック部であって前記バンド部を第２端部から前記長手方向の一方向には挿通させ他方向には前記係合部と係合するロック部と、を有する結束バンドが取り付けられる筐体へのワイヤハーネスの取付構造であって、
前記筐体の所定の第１バンド取付部との間に前記バンド部を挿入自在な間隙部を構成する第２バンド取付部を有するバンド取付部材を備え、
前記第１バンド取付部と前記第２バンド取付部との互いの対向面のうちいずれか一方に、前記間隙部に対して前記バンド部を前記第２端部から前記長手方向の一方向には挿通させ他方向には前記係合部と係合するバンド係止部が設けられる、筐体へのワイヤハーネスの取付構造。
【請求項２】
前記筐体は、上方へ開口し、互いに対向する少なくとも一対の第１側壁を有する箱体であり、
前記バンド取付部材は、前記箱体に上方から嵌合する蓋体であって前記箱体との嵌合時に前記一対の第１側壁のそれぞれに外側から近接する一対の第２側壁を有する蓋体であり、
前記第１側壁は、前記第１バンド取付部を有し、
前記第２側壁は、前記第２バンド取付部を有し、
前記第１バンド取付部の外面又は前記第２バンド取付部の内面のいずれか一方に、前記第２バンド係止部が設けられる、請求項１に記載の筐体へのワイヤハーネスの取付構造。
【請求項３】
前記バンド係止部は、前記第１バンド取付部と前記第２バンド取付部との間に下方から上方へ挿入された前記バンド部を下方へ抜去不能に構成され、
前記第２バンド取付部は、前記ロック部が嵌まり込む凹部を有する、請求項２に記載の筐体へのワイヤハーネスの取付構造。
【請求項４】
前記バンド係止部は、前記第１バンド取付部と前記第２バンド取付部との間に上方から下方へ挿入された前記バンド部を上方へ抜去不能に構成され、
前記第１バンド取付部は、前記ロック部が嵌まり込む凹部を有する、請求項２に記載の筐体へのワイヤハーネスの取付構造。
【請求項５】
前記バンド取付部材は、板状の前記第２バンド取付部、及び前記第２バンド取付部から突出する弾性を有する爪部材であって互いの間に前記バンド部を挿通させる一対の爪部材を有し、
前記第１バンド取付部は、前記一対の爪部材が嵌合自在な一対の嵌合孔を有する、請求項１に記載の筐体へのワイヤハーネスの取付構造。
【請求項６】
前記第２バンド取付部は、前記ロック部が嵌まり込む凹部を有する、請求項５に記載の筐体へのワイヤハーネスの取付構造。
【発明の詳細な説明】
【技術分野】
【０００１】
この発明は、ロック部とバンド部とを有する結束バンドを用いて筐体にワイヤハーネスを取り付ける筐体へのワイヤハーネスの取付構造に関する。
【背景技術】
【０００２】
画像形成装置等の主装置は、画像読取装置、電源装置、及び制御装置等の電気機器を備え、各電気機器は、互いにワイヤハーネスで電気的に連結される。主装置の製造時の作業性向上、メンテナンス時等におけるワイヤハーネスの損傷防止を目的として、ワイヤハーネスは、ワイヤハーネスを構成する複数の電線を束ねられるとともに、電気機器の筐体に取り付けられる。
【０００３】
筐体へのワイヤハーネスの取付構造として、例えば、一対のＬ字状の突起部を筐体に形成し、次に、一対の突起部の近傍にワイヤハーネスを配置し、さらに、一対の突起部の間に結束バンドのバンド部を挿入した後、ワイヤハーネスの外周にバンド部を巻き付け、さらにバンド部をロック部に挿通させてバンド部でワイヤハーネスの外周を締め付けることで、ワイヤハーネスを筐体に取り付ける構成が知られている（例えば、特許文献１参照。）。
【先行技術文献】
【特許文献】
【０００４】
【特許文献１】特開平９−５１６２４号公報
【発明の概要】
【発明が解決しようとする課題】
【０００５】
しかし、上述の従来の筐体へのワイヤハーネスの取付構造では、結束バンドを筐体に取り付けた状態で結束バンドをワイヤハーネスに巻き付けるので、作業性が良くない。特に、多くのワイヤハーネスを束ねて筐体に取り付ける場合は、ワイヤハーネスがばらけ易く、さらに作業性が悪い。
【０００６】
また、結束バンドは、バンド部がワイヤハーネスの外周に巻き付けられてロック部に挿通され、さらにロック部を通過したバンド部を引っ張ってワイヤハーネスの外周を締め付けるようにして用いられる。このため、ワイヤハーネスを束ねた状態においてロック部を通過した部分のバンド部である残余部が、少なからず生じる。従来の筐体へのワイヤハーネスの取付構造では、残余部が、後のメンテナンスの作業性を悪化させる要因となる虞があるので、残余部を切断する作業が必要となり、筐体へのワイヤハーネスの取付時における作業工程数が多くなる。
【０００７】
この発明の目的は、作業性が良く、かつ作業工程数を低減できる筐体へのワイヤハーネスの取付構造を提供することにある。
【課題を解決するための手段】
【０００８】
この発明の筐体へのワイヤハーネスの取付構造は、長尺状のバンド部であって長手方向に連続して複数の係合部を有するバンド部及びバンド部の第１端部に備えられたロック部であってバンド部を第２端部から長手方向の一方向には挿通させ他方向には係合部と係合するロック部を有する結束バンドが取り付けられるように構成される。筐体へのワイヤハーネスの取付構造は、筐体、及びバンド取付部材を備える。バンド取付部材は、筐体の所定の第１バンド取付部との間にバンド部を挿入自在な間隙部を構成する第２バンド取付部を有する。第１バンド取付部と第２バンド取付部との互いの対向面のうちいずれか一方に、間隙部に対してバンド部を第２端部から長手方向の一方向には挿通させ他方向には係合部と係合するバンド係止部が設けられる。
【０００９】
この構成では、まず、バンド部がワイヤハーネスの外周に巻き付けられ、ロック部に挿通されて、バンド部によってワイヤハーネスの外周が締め付けられる。これによって、ワイヤハーネスを構成する複数の電線、又は複数のワイヤハーネスが束ねられる。次に、ワイヤハーネスの外周に巻き付けられてロック部に挿通された状態のバンド部のうちロック部よりも第２端部側の部分である残余部が、第１バンド取付部と第２バンド取付部との間の間隙部に挿入される。これによって、残余部の係合部とバンド係止部とが係合するので、筐体にワイヤハーネスが取り付けられる。このように、結束バンドによってワイヤハーネスを束ねる作業と、結束バンドを筐体に取り付ける作業とを、別々に行うことができるので、作業性が良い。また、残余部が第１バンド取付部と第２バンド取付部との間の間隙部に挿入されるので、残余部が後のメンテナンスの作業性を悪化させる要因となる虞が無く、残余部を切断する必要がなくなる。
【００１０】
上述の構成において、筐体は、上方へ開口し、互いに対向する少なくとも一対の第１側壁を有する箱体であり、バンド取付部材は、箱体に上方から嵌合する蓋体であって箱体との嵌合時に一対の第１側壁のそれぞれに外側から近接する一対の第２側壁を有する蓋体であり、第１側壁は第１バンド取付部を有し、第２側壁は第２バンド取付部を有し、第１バンド取付部の外面又は第２バンド取付部の内面のいずれか一方に、バンド係止部が設けられるように構成することができる。
【００１１】
箱体に蓋体が嵌合することで、一対の第１側壁のそれぞれに一対の第２側壁が外側から近接する。このため、一方の第２側壁が互いに近接する一方の第１側壁から離間する方向の動きが、他方の第２側壁が他方の第１側壁に引っ掛かることで、極小さい範囲内に規制される。このため、第１側壁に設けられた第１バンド取付部と第２側壁に設けられた第２バンド取付部との間の間隙部に残余部を挿入することで、残余部が第１バンド取付部と第２バンド取付部とに挟み付けられる。これによって、残余部の係合部がバンド係止部と係合し、ワイヤハーネスが箱体に取り付けられる。このように、残余部は箱体の第１側壁と蓋体の第２側壁との間に挿入されるので、別に部材を用いることなく結束バンドを箱体に取り付けることができ、部品点数の低減を図ることができる。
【００１２】
また、バンド係止部は、第１バンド取付部と第２バンド取付部との間に下方から上方へ挿入されたバンド部を下方へ抜去不能に構成され、第２バンド取付部は、ロック部が嵌まり込む凹部を有するように構成することができる。
【００１３】
この構成では、結束バンドは箱体の外側に配置され、第１バンド取付部と第２バンド取付部との間の間隙部に下方から挿入されて、蓋体の第２側壁に設けられた第２バンド取付部の凹部にロック部が嵌まり込む。このため、ワイヤハーネスを箱体の外側における底面側に取り付ける場合に、作業性が良くなり、かつ、省スペース化を図ることができるとともに、箱体に対するワイヤハーネスの位置を安定化させることができる。
【００１４】
さらに、バンド係止部は、第１バンド取付部と第２バンド取付部との間に上方から下方へ挿入されたバンド部を上方へ抜去不能に構成され、第１バンド取付部は、ロック部が嵌まり込む凹部を有するように構成することができる。
【００１５】
この構成では、結束バンドは箱体の内側に配置され、第１バンド取付部と第２バンド取付部との間の間隙部に上方から挿入されて、箱体の第１側壁に設けられた第１バンド取付部の凹部にロック部が嵌まり込む。このため、ワイヤハーネスを箱体内における上方に取り付ける場合に、作業性が良くなり、かつ、箱体に対するワイヤハーネスの位置を安定化させることができる。
【００１６】
また、バンド取付部材は、板状の第２バンド取付部、及び第２バンド取付部から突出する弾性を有する爪部材であって互いの間にバンド部を挿通させる一対の爪部材を有し、第１バンド取付部は、一対の爪部材が嵌合自在な一対の嵌合孔を有するように構成することができる。
【００１７】
この構成では、一対の嵌合孔に一対の爪部材が嵌合することで、バンド取付部材が筐体に取り付けられる。バンド部のうちの残余部は、第１バンド取付部と第２バンド取付部との間の間隙部であって一対の爪部材の間に挿入され、残余部の係合部は、第１バンド取付部と第２バンド取付部との互いの対向面のうちいずれか一方に設けられたバンド係止部と係合する。この構成においても、結束バンドによってワイヤハーネスを束ねる作業と、結束バンドを筐体に取り付ける作業とを、別々に行うことができるので、作業性が良い。また、残余部が第１バンド取付部と第２バンド取付部との間に挿入されるので、残余部が後のメンテナンスの作業性を悪化させる要因となる虞が無く、残余部を切断する必要がなくなる。
【００１８】
さらに、第２バンド取付部は、ロック部が嵌まり込む凹部を有するように構成することができる。ロック部が凹部に嵌まり込むことで、省スペース化を図ることができるとともに、筐体に対するワイヤハーネスの位置を安定化させることができる。
【発明の効果】
【００１９】
この発明によれば、作業性が良く、かつ作業工程数を低減させることができる。
【図面の簡単な説明】
【００２０】
【図１】この発明の実施形態に係る筐体へのワイヤハーネスの取付構造が適用された箱体及び蓋体の分解斜視図である。
【図２】箱体及び蓋体の概略の構成を示す断面図である。
【図３】（Ａ）は、結束バンドの断面図であり、（Ｂ）は、結束バンドの斜視図であり、（Ｃ）は、ワイヤハーネスを束ねた状態の結束バンドの正面図である。
【図４】箱体及び蓋体の要部の拡大斜視図である。
【図５】他の実施形態に係る筐体へのワイヤハーネスの取付構造が適用された箱体及び蓋体の要部の拡大斜視図である。
【図６】さらに他の実施形態に係る筐体へのワイヤハーネスの取付構造が適用された筐体及びバンド取付部材の要部についての一部切り欠き斜視図である。
【図７】図６に示す実施形態に係る筐体へのワイヤハーネスの取付構造が適用された筐体及びバンド取付部材の要部についての断面図である。
【発明を実施するための形態】
【００２１】
以下に、この発明の実施形態に係る筐体へのワイヤハーネスの取付構造について、画像読取装置に適用された場合を例に挙げて説明する。
【００２２】
図１に示すように、画像読取装置１０は、筐体の一例である箱体２０、及びバンド取付部材の一例である蓋体３０を備えている。箱体２０及び蓋体３０は、ともに樹脂製である。一例として、箱体２０及び蓋体３０は、平面視において長方形を呈している。
【００２３】
筐体２０は、上方へ開口し、互いに対向する少なくとも一対の側壁（第１側壁）２１，２２を有している。この実施形態では、箱体２０は、互いに対向する２対の側壁２１，２２，２３，２４を有している。
【００２４】
蓋体３０は、箱体２０に上方から嵌合自在に構成されている。蓋体３０は、箱体２０との嵌合時に一対の側壁２１，２２のそれぞれに外側から近接する一対の側壁３１，３２（側壁３２については図２参照。）を有している。側壁３１，３２は、第２側壁を構成している。この実施形態では、側壁３１，３２は、蓋体３０の１辺の一部のみに設けられているが、１辺の全域に設けることもできる。
【００２５】
図２に示すように、箱体２０に蓋体３０が嵌合することで、側壁２１，２２のそれぞれに側壁３１，３２が外側から近接する。このため、蓋体３０の一方の側壁３１が互いに近接する箱体２０の一方の側壁２１から離間する方向の動きが、蓋体３０の他方の側壁３２が箱体２０の他方の側壁２２に引っ掛かることで、極小さい範囲内に規制される。
【００２６】
蓋体３０は、箱体２０に嵌合された状態で、ネジ止め、及び係止孔を有する係止片３１１と係止爪２１１との係合によって、箱体２０に固定される。箱体２０と蓋体３０とによって囲まれた領域内に、光源、光学系部材、及びＣＣＤ（Charge Coupled Device）センサ等の画像読取部材が収容される。
【００２７】
画像読取装置１０は、一例として、画像形成装置等の主装置に搭載される。画像形成装置は、画像読取装置１０の他に、画像形成ユニット、給紙ユニット、電源装置、及び制御装置等の電気機器を備えている。画像読取装置１０は、電源装置及び制御装置にワイヤハーネスで電気的に連結されている。ワイヤハーネスは、ワイヤハーネスを構成する複数の電線を束ねられるとともに、画像読取装置１０の箱体２０に取り付けられる。ワイヤハーネスが箱体２０に取り付けられることで、画像形成装置の製造時の作業性向上、及びメンテナンス時等におけるワイヤハーネスの損傷防止が図られる。
【００２８】
図３（Ａ）〜図３（Ｃ）に示すように、ワイヤハーネス６０は、結束バンド７０によって束ねられ、箱体２０に取り付けられる。なお、図３（Ｃ）では、ワイヤハーネス６０が１本のコードのように記載されているが、実際には複数の電線によって構成されている。
【００２９】
結束バンド７０は、ロック部７１及び長尺状のバンド部７２を含み、バンド部７２がワイヤハーネス６０の外周に巻き付けられるように構成されている。
【００３０】
ロック部７１は、バンド挿通孔７１１、及びバンドロック部７１２を有している。バンドロック部７１２は、バンド挿通孔７１１内に設けられている。バンドロック部７１２は、断面が鋸歯状に形成されている。ロック部７１は、バンド部７２の長手方向における第１端部に備えられている。
【００３１】
バンド部７２は、長手方向における第１端部とは反対側の第２端部である先端部７２１からバンド挿通孔７１１に挿通自在に構成されている。バンド部７２には、長手方向に連続して複数の係合部７２２が形成されている。複数の係合部７２２によって、バンド部７２の一方の面は、鋸歯状に構成されている。係合部７２２は、バンド挿通孔７１１からの抜去方向へのバンド部７２の移動が規制されるようにバンド挿通孔７１１内でバンドロック部７１２に係合する。
【００３２】
バンド部７２は、ワイヤハーネス６０の外周に巻き付けられ、先端部７２１からバンド挿通孔７１１に挿通されて、バンド部７２によってワイヤハーネス６０の外周が締め付けられる。これによって、ワイヤハーネス６０を構成する複数の電線、又は複数のワイヤハーネス６０が結束バンド７０によって束ねられる。
【００３３】
ワイヤハーネス６０の外周に巻き付けられてバンド挿通孔７１１に挿通された状態のバンド部７２のうち、バンド挿通孔７１１よりも先端部７２１側の部分を、残余部７２３と呼ぶことにする。ワイヤハーネス６０を結束バンド７０によって結束する際には、まず、バンド部７２がワイヤハーネス６０の外周に巻き付けられ、次に、バンド部７２が先端部７２１からバンド挿通孔７１１に挿通され、最後に、ロック部７１に対して残余部７２３を引っ張るようにして、バンド部７２によってワイヤハーネス６０の外周が締め付けられる。このため、結束バンド７０によってワイヤハーネス６０が結束された場合、必ず残余部７２３が生じる。
【００３４】
図４に示すように、箱体２０の側壁２１は、第１バンド取付部４０を有している。第１バンド取付部４０は、平板部４１及び連結部４２，４３を有している。平板部４１は、第１バンド取付部４０の両側方の側壁本体２１２に対して、若干（例えば、数ｍｍ）箱体２０の内側に配置されている。連結部４２，４３は、平板部４１の水平方向両端部と側壁本体２１２とを連結している。これによって、第１バンド取付部４０は、側壁本体２１２に対して、上下方向に均一に箱体２０の内側へ凹むように構成されている。第１バンド取付部４０は、側壁本体２１２の上端よりも上方へ、所定寸法（例えば、１ｃｍ程度）突出している。
【００３５】
蓋体３０の側壁３１のうち、箱体２０と蓋体３０との嵌合時に第１バンド取付部４０に対向する部分が、第２バンド取付部５０である。一例として、第２バンド取付部５０は平板状に構成されている。第２バンド取付部５０は、下端部に、上方へ凹む凹部５１を有している。凹部５１は、箱体２０への結束バンド７０の取付時にロック部７１が嵌まり込み自在に構成されている。第２バンド取付部５０は、内面即ち第１バンド取付部４０の平板部４１に対向する面に、バンド係止部５２を有している。バンド係止部５２は、第１バンド取付部４０と第２バンド取付部５０との間の間隙部に下方から上方へ挿入された残余部７２３を、下方へ抜去不能に構成されている。一例として、バンド係止部５２は、バンドロック部７１２と同様に、断面が鋸歯状に構成されている。
【００３６】
第１バンド取付部４０の連結部４２，４３には、箱体２０と蓋体３０との嵌合時に第２バンド取付部５０が嵌まり込む溝部４４，４５が設けられている。溝部４４，４５は、平板部４１に対して離間した位置において、側壁本体２１２の上端よりも下方へ凹んでいる。第２バンド取付部５０が溝部４４，４５に嵌まり込むことによって、第２バンド取付部５０は、第１バンド取付部４０に対して離接する方向の移動を規制される。箱体２０と蓋体３０との嵌合時に、第１バンド取付部４０の平板部４１と第２バンド取付部５０との間には、バンド部７２の厚さよりも若干小さい間隙部が形成される。第１バンド取付部４０及び第２バンド取付部５０は、ともに樹脂製であるため、第１バンド取付部４０と第２バンド取付部５０との間の間隙部へのバンド部７２の挿入を許容する弾性を有している。
【００３７】
箱体２０へワイヤハーネス６０を取り付ける際は、まず、バンド部７２がワイヤハーネス６０の外周に巻き付けられ、バンド挿通孔７１１に挿通されて、バンド部７２によってワイヤハーネス６０の外周が締め付けられる。これによって、ワイヤハーネス６０を構成する複数の電線又は複数のワイヤハーネス６０が束ねられる。次に、バンド部７２の残余部７２３が、第１バンド取付部４０と第２バンド取付部５０との間の間隙部に下方から上方へ挿入され、第１バンド取付部４０と第２バンド取付部５０とに挟み付けられる。
【００３８】
これによって、残余部７２３の係合部７２２とバンド係止部５２とが係合し、箱体２０にワイヤハーネス６０が取り付けられる。このように、結束バンド７０によってワイヤハーネス６０を束ねる作業と、結束バンド７０を箱体２０に取り付ける作業とを、別々に行うことができる。このため、作業者は、結束バンド７０によってワイヤハーネス６０を束ねる作業と、結束バンド７０を箱体２０に取り付ける作業とに、別々に集中して作業を行うことができるので、作業性が良い。したがって、ワイヤハーネス６０をばらけさせることなく容易に結束して、箱体２０に取り付けることができる。
【００３９】
また、残余部７２３が第１バンド取付部４０と第２バンド取付部５０との間に挿入されるので、残余部７２３が後のメンテナンスの作業性を悪化させる要因となる虞が無く、残余部７２３を切断する必要がなくなる。したがって、作業工程数を低減させることができる。さらに、残余部７２３は箱体２０の側壁４１と蓋体３０の側壁３１との間に挿入されるので、別に部材を用いることなく結束バンド７０を箱体２０に取り付けることができ、部品点数の低減を図ることができる。
【００４０】
また、上述の構成では、結束バンド７０は、箱体２０の外側に配置され、第１バンド取付部４０と第２バンド取付部５０との間に下方から挿入されて、第２バンド取付部５０の凹部５１にロック部７１が嵌まり込む。このため、ワイヤハーネス６０を箱体２０の外側における底面側に取り付ける場合に特に作業性が良くなる。また、凹部５１にロック部７１が嵌まり込むことで、省スペース化を図ることができる。さらに、箱体２０に対するワイヤハーネス６０の位置を安定化させることができる。
【００４１】
なお、バンド係止部５２は、第１バンド取付部４０の外面又は第２バンド取付部５０の内面のいずれか一方に設けられればよい。このため、バンド係止部５２は、第２バンド取付部５０の内面ではなく、第１バンド取付部４０の外面即ち平板部４１の第２バンド取付部５０に対向する面に設けることもできる。
【００４２】
図５に示すように、第２バンド取付部５０に設けられた凹部５１に代えて、第１バンド取付部４０の上端部に、下方へ凹む凹部４６を設けることができる。凹部４６は、箱体２０への結束バンド７０の取付時にロック部７１が嵌まり込み自在に構成されている。
【００４３】
第１バンド取付部４０の上端部に凹部４６が設けられた場合は、バンド係止部５２Ａは、第１バンド取付部４０と第２バンド取付部５０との間に上方から下方へ挿入された残余部７２３を、上方へ抜去不能に構成される。
【００４４】
この構成では、結束バンド７０は箱体２０の内側に配置され、第１バンド取付部４０と第２バンド取付部５０との間に上方から挿入されて、第１バンド取付部４０の凹部４６にロック部７１が嵌まり込む。このため、ワイヤハーネス６０を箱体２０の内部における上方に取り付ける場合に特に作業性が良くなる。また、箱体２０に対するワイヤハーネス６０の位置を安定化させることができる。さらに、第１バンド取付部４０と蓋体３０との間にロック部７１が挟持されるので、箱体２０に対するワイヤハーネス６０の位置がより安定化する。
【００４５】
次に、他の実施形態に係る筐体へのワイヤハーネスの取付構造について説明する。
【００４６】
図６及び図７に示すように、筐体８０は、第１バンド取付部８１に、一対の嵌合孔８２，８３を有している。嵌合孔８２，８３は、互いに所定間隔をあけて配置されている。嵌合孔８２と嵌合孔８３との間に、バンド係止部５２Ｂが設けられている。バンド係止部５２Ｂは、バンド係止部５２と同様に構成されている。
【００４７】
バンド取付部材９０は、板状の第２バンド取付部９１、及び嵌合孔８２，８３に嵌合自在な一対の爪部材９２，９３を有している。なお、図６では、説明の都合上、バンド取付部材９０の一部を切り欠いた状態を記載している。
【００４８】
爪部材９２，９３は、互いの間に残余部７２３が挿通可能な間隔をあけて、第２バンド取付部９１から突出し、互いに離接する方向の弾性を有している。爪部材９２，９３は、先端部の外側に、突起部９２１，９３１を有している。爪部材９２，９３は、互いに近付く方向に撓まされながら、第１バンド取付部８１の一方面側から、それぞれ嵌合孔８２，８３に挿通される。突起部９２１，９３１が嵌合孔８２，８３から第１バンド取付部８１の他方面側へ抜け出ると、突起部９２１，９３１が弾性力によって嵌合孔８２，８３の外側に係止され、バンド取付部材９０が筐体８０に取り付けられる。
【００４９】
バンド取付部材９０が筐体８０に取り付けられた状態において、第１バンド取付部８１と第２バンド取付部９１との間には、バンド部７２の厚さよりも若干小さい間隙部が形成される。第１バンド取付部８１及び第２バンド取付部９１は、ともに樹脂製であるため、第１バンド取付部８１と第２バンド取付部９１との間の間隙部へのバンド部７２の挿入を許容する弾性を有している。
【００５０】
この実施形態では、一対の嵌合孔８２，８３に一対の爪部材９２，９３が嵌合することで、バンド取付部材９０が筐体８０に取り付けられる。残余部７２３は、第１バンド取付部８１と第２バンド取付部９１との間の間隙部であって一対の爪部材９２，９３の互いの間に挿入される。残余部７２３の係合部７２２がバンド係止部５２Ｂと係合することで、残余部７２３が第１バンド取付部８１と第２バンド取付部９１との間の間隙部から抜き去ることができなくなる。
【００５１】
この構成においても、結束バンド７０によってワイヤハーネス６０を束ねる作業と、結束バンド７０を筐体８０に取り付ける作業とを、別々に行うことができるので、作業性が良い。
【００５２】
また、残余部７２３が第１バンド取付部８１と第２バンド取付部９１との間の間隙部に挿入されるので、残余部７２３が後のメンテナンスの作業性を悪化させる要因となる虞が無く、残余部７２３を切断する必要がない。このため、作業工程数が低減する。
【００５３】
第２バンド取付部９１は、第１バンド取付部８１と第２バンド取付部９１との間に残余部７２３を挿入した際にロック部７１が嵌まり込む凹部９４を有している。凹部９４は、第１バンド取付部８１と第２バンド取付部９１との間への残余部７２３の挿入方向において、第２バンド取付部９１の上流側端部に、下流側端部へ凹むように形成されている。
【００５４】
ロック部７１が凹部９４に嵌まり込むことで、省スペース化を図ることができるとともに、筐体８０に対するワイヤハーネス６０の位置を安定化させることができる。
【００５５】
この実施形態に係る筐体へのワイヤハーネスの取付構造によれば、ワイヤハーネス６０を、箱体２０の内側底面又は外側底面等の平面部に取り付けることが容易になる。
【００５６】
爪部材９２，９３を互いに近付けるように撓ませながら嵌合孔８２，８３から抜き去ることで、バンド取付部材９０を筐体８０から取り外すことができる。このように、バンド取付部材９０は筐体８０に対して着脱自在であるため、バンド取付部材９０を筐体８０から取り外すことで、結束バンド７０を筐体８０から取り外すことができる。
【００５７】
なお、バンド係止部５２Ｂは、第１バンド取付部８１と第２バンド取付部９１との互いの対向面のうちいずれか一方に設けることができる。
【００５８】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５９】
１０  画像読取装置
２０  箱体（筐体）
２１〜２４  側壁（第１側壁）
３０  蓋体（バンド取付部材）
３１，３２  側壁（第２側壁）
４０，８１  第１バンド取付部
４６，５１，９４  凹部
５０，９１  第２バンド取付部
５２，５２Ａ，５２Ｂ  バンド係止部
６０  ワイヤハーネス
７０  結束バンド
７１  ロック部
７１１  バンド挿通孔
７１２  バンドロック部
７２  バンド部
７２１  先端部
７２２  係合部
７２３  残余部
８０  筐体
８２，８３  嵌合孔
９０  バンド取付部材
９２，９３  爪部材
【図１】
2012147537.tif 000003
【図２】
2012147537.tif 000004
【図３】
2012147537.tif 000005
【図４】
2012147537.tif 000006
【図５】
2012147537.tif 000007
【図６】
2012147537.tif 000008
【図７】
2012147537.tif 000009